Podtech/llm-jp-corpus-v4-ja_patent huggingface dataset:
【手続補正書】
【提出日】令和2年1月31日(2020.1.31)
【手続補正１】
【補正対象書類名】明細書
【補正対象項目名】０００８
【補正方法】変更
【補正の内容】
【０００８】
実施の形態の画像処理装置は、入力画像を構成する複数の画素がラスタスキャン順に入力され、前記入力画像の歪に基づいて前記画素の位置を補正する補正演算を行って補正画素を求めるものであって、前記入力される画素の位置である入力画素位置から出力する画素の位置である補正画素位置を求める第１の演算、前記補正画素位置及びその周辺の複数画素の画素位置に対応する前記入力画像の画素位置を求める第２の演算、前記入力画像の画素位置に対応する前記補正画素を求める第３の演算を含む前記補正演算を行い、前記第１の演算の結果得られた補正画素位置の情報を前記補正画素に付加して、前記補正画素位置の情報が付加された前記補正画素を出力する歪補正回路と、前記歪補正回路の出力が前記補正画素位置の情報に基づくランダム順に入力される出力バッファであって、前記補正画素位置が連続する補正画素の集合である伝送ブロック毎に補正画素を出力する２段以上に階層化された複数の出力バッファと、前記歪補正回路の出力画素を、前記複数の出力バッファのうち初段の出力バッファに書き込むと共に、書き込んだ画素を後段の出力バッファに順次転送するものであって、各段の出力バッファに前記伝送ブロックを分割したサブブロックを記憶させるコントローラとを具備する。
【手続補正２】
【補正対象書類名】特許請求の範囲
【補正対象項目名】全文
【補正方法】変更
【補正の内容】
【特許請求の範囲】
【請求項１】
入力画像を構成する複数の画素がラスタスキャン順に入力され、前記入力画像の歪に基づいて前記画素の位置を補正する補正演算を行って補正画素を求めるものであって、前記入力される画素の位置である入力画素位置から出力する画素の位置である補正画素位置を求める第１の演算、前記補正画素位置及びその周辺の複数画素の画素位置に対応する前記入力画像の画素位置を求める第２の演算、前記入力画像の画素位置に対応する前記補正画素を求める第３の演算を含む前記補正演算を行い、前記第１の演算の結果得られた補正画素位置の情報を前記補正画素に付加して、前記補正画素位置の情報が付加された前記補正画素を出力する歪補正回路と、
前記歪補正回路の出力が前記補正画素位置の情報に基づくランダム順に入力される出力バッファであって、前記補正画素位置が連続する補正画素の集合である伝送ブロック毎に補正画素を出力する２段以上に階層化された複数の出力バッファと、
前記歪補正回路の出力画素を、前記複数の出力バッファのうち初段の出力バッファに書き込むと共に、書き込んだ画素を後段の出力バッファに順次転送するものであって、各段の出力バッファに前記伝送ブロックを分割したサブブロックを記憶させるコントローラとを具備した画像処理装置。
【請求項２】
前記２段以上に階層化された複数の出力バッファは、後段ほど出力バッファ数が少ない請求項１に記載の画像処理装置。
【請求項３】
前記２段以上に階層化された複数の出力バッファは、輝度用の出力バッファと色差用の出力バッファとを有し、前記色差用の出力バッファの段数は前記輝度用の出力バッファの段数よりも多い請求項１又は２に記載の画像処理装置。
【請求項４】
前記コントローラは、前記出力バッファに前記サブブロックの画素が充填されると後段の出力バッファに充填されたサブブロックの画素を転送し、前記伝送ブロックを構成する複数のサブブロックの画素が各段の前記出力バッファに充填されると、充填されている各段のサブブロックを連結した伝送ブロックの画素を出力する請求項１に記載の画像処理装置。
【請求項５】
前記コントローラは、前記サブブロック毎に画像位置を特定するタグ情報を付与する請求項１に記載の画像処理装置。
【請求項６】
前記コントローラは、前記補正画素位置に含まれる水平画素位置データの上位ビットにより前記タグ情報を生成する請求項５に記載の画像処理装置。
【請求項７】
歪補正回路が、入力画像を構成する複数の画素をラスタスキャン順に入力し、前記入力画像の歪に基づいて前記画素の位置を補正する補正演算であって、前記入力される画素の位置である入力画素位置から出力する画素の位置である補正画素位置を求める第１の演算、前記補正画素位置及びその周辺の複数画素の画素位置に対応する前記入力画像の画素位置を求める第２の演算、及び前記入力画像の画素位置に対応する前記補正画素を求める第３の演算を含む前記補正演算を行い、
前記第１の演算の結果得られた補正画素位置の情報を前記補正画素に付加して、前記補正画素位置の情報が付加された前記補正画素を出力し、
前記歪補正回路から前記補正画素位置の情報に基づくランダム順に入力された補正画素を、２段以上に階層化された複数の出力バッファのうち初段の出力バッファに書き込むと共に、書き込んだ補正画素を後段の出力バッファに順次転送することで、各段の出力バッファに前記補正画素位置が連続する補正画素の集合であるサブブロックの画素を記憶させ、前記各段の出力バッファに記憶された複数のサブブロックを連結した伝送ブロックの画素を出力する画像処理方法。
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
選択された複数の画像を記憶する情報処理装置を、
前記複数の画像に写る複数の被写体の値に基づいて、新たに選択を受け付ける候補となる画像を特定する画像特定手段として機能させるためのプログラム。
【請求項２】
前記情報処理装置を、
選択された画像を表示する表示手段として機能させるための請求項１に記載のプログラム。
【請求項３】
前記被写体の値は、選択された複数の画像における被写体の登場回数に基づいて算出されるスコアであることを特徴とする請求項１又は２に記載のプログラム。
【請求項４】
前記情報処理装置を、
前記画像特定手段により特定された候補となる画像を選択した場合と、選択しなかった場合における、前記被写体の値の異なりを認識可能に表示する認識表示制御手段として機能させるための請求項１乃至３のいずれか１項に記載のプログラム。
【請求項５】
前記画像特定手段を、選択済みの画像における被写体の値の比較結果と、前記選択済みの画像のいずれかと入れ替える画像を特定するための基準値とに基づいて、前記選択済みの画像と入れ替える候補となる画像を特定する手段として機能させるための請求項１乃至４のいずれか１項に記載のプログラム。
【請求項６】
前記選択された複数の画像が、どのアルバムに含まれるかをさらに記憶する前記情報処理装置の、
前記画像特定手段を、前記アルバムごとに、アルバムに含まれる前記複数の画像に写る複数の被写体の値に基づいて、新たに選択を受け付ける候補となる画像を特定する手段として機能させるための請求項１乃至５のいずれか１項に記載のプログラム。
【請求項７】
前記選択された複数の画像が、どのアルバムのどのセクションに含まれるかをさらに記憶する前記情報処理装置の、
前記画像特定手段を、アルバム内のセクションごとに、セクションに含まれる前記複数の画像に写る複数の被写体の値に基づいて、新たに選択を受け付ける候補となる画像を特定する手段として機能させるための請求項１乃至６のいずれか１項に記載のプログラム。
【請求項８】
前記情報処理装置を、
前記画像特定手段により特定された画像を強調表示させるべく制御する強調表示制御手段として機能させるための請求項１乃至７のいずれか１項に記載のプログラム。
【請求項９】
選択された複数の画像を記憶する情報処理装置の制御方法であって、
画像特定手段が、前記複数の画像に写る複数の被写体の値に基づいて、新たに選択を受け付ける候補となる画像を特定する画像特定工程と、
を含むことを特徴とする情報処理装置の制御方法。
【請求項１０】
選択された複数の画像を記憶する情報処理装置であって、
前記複数の画像に写る複数の被写体の値に基づいて、新たに選択を受け付ける候補となる画像を特定する画像特定手段と、
を備えることを特徴とする情報処理装置。
【請求項１１】
クライアント装置と、選択された複数の画像を記憶する情報処理装置とを含む情報処理システムであって、
前記クライアント装置は、
前記情報処理装置より受信した、画像を識別するための情報に基づいて、画像を表示する表示手段と、
を備え、
前記情報処理装置は、
前記複数の画像に写る複数の被写体の値に基づいて、新たに選択を受け付ける候補となる画像を特定する画像特定手段と、
前記画像特定手段により特定された画像を識別するための情報を前記クライアント装置に送信する送信手段と、
を備えることを特徴とする情報処理システム。
【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
板状の指紋認識カードにおいて、
内蔵バッテリーから電源が供給され、電源ボタンの入力に応じて第２領域に前記内蔵バッテリーから提供された電源を伝達し、前記第２領域から提供された指紋認証結果に基づいて第３領域の活性化を制御する第１領域と、
前記第１領域から供給された電源に応答して活性化され、所持者が入力する指紋を感知する指紋認識センサーを備える前記第２領域と、
前記第１領域の制御に基づいて活性化される第３領域と
を含み、
前記第１領域は、
前記第１〜第３領域を制御するカード制御部と、
カード所持者の識別の可否、決済処理段階、決済承認の可否及びＯＴＰ（One Time Password）のうち少なくとも一つを視覚的に表示する表示部と、を含み、
前記第３領域は、
所持者の識別情報又はカード決済情報を暗号化し、保存するセキュリティー装置と、
外部装置と前記セキュリティー装置と間で信号を授受するアンテナと、を含み、
前記セキュリティー装置は、複数のアプレット（Applet）が保存された記録媒体を含み、
前記カード制御部の制御に従って、前記複数のアプレットの中から一つのアプレットが活性化され、
前記カード制御部は、外部呼出しコマンドのセキュリティーレベル情報により、前記指紋認識結果と関係なく、前記第３領域を選択的に活性化し、前記複数のアプレットの中から一つのアプレットを起動する
指紋認識カード。
【請求項２】
前記セキュリティー装置は、
前記外部装置から受信されたデータを前記第１領域に提供し、前記表示部を介して表示する請求項１に記載の指紋認識カード。
【請求項３】
前記第２領域及び前記第３領域のそれぞれは、活性化された以降、既設定された時間が経過した場合、非活性化される請求項１に記載の指紋認識カード。
【請求項４】
前記第２領域は、
前記指紋認識センサーから感知された指紋の正常取得の可否、感知された指紋と既保存された認証情報との一致の可否、及び取得された指紋の種類のうちいずれか一つを判断し、前記指紋認証結果を提供する認証制御部を、更に含む請求項１に記載の指紋認識カード。
【請求項５】
前記カード制御部は、前記認証制御部から判断された指紋の種類に基づいて、前記複数のアプレットの中から一つのアプレットを活性化する請求項４に記載の指紋認識カード。
【請求項６】
外部電源と連結され、前記セキュリティー装置と接触する接触部と、
前記接触部を介して提供された前記外部電源に基づいて、前記内蔵バッテリーを充電する充電回路と
を更に含む請求項１に記載の指紋認識カード。
【請求項７】
内蔵バッテリー及び指紋認識センサーを備えた板状の指紋認識カードを用いたカード動作方法において、
前記指紋認識カードに備えられた電源ボタンの入力に応じて、制御領域から指紋認識領域に前記内蔵バッテリーからの電源を供給して、活性化するステップと
前記指紋認識領域の前記指紋認識センサーが前記供給された電源に基づいて、所持者の指紋を感知するステップと、
前記感知された指紋と既保存された認証情報とを照合し、セキュリティー領域の活性化を制御するステップであって、前記感知された指紋と既保存された認証情報とが一致する場合、前記セキュリティー領域の特定のアプレットを活性化するステップと、
前記制御領域が、受信された外部呼出しコマンドのセキュリティーレベル情報により、前記指紋認識領域に対する電源供給を決定するステップと、
前記外部呼出しコマンドのセキュリティーレベル情報に基づいて、セキュリティーレベルが低い場合、前記指紋認識領域に対する電源供給なしで、前記セキュリティー領域の特定アプレットを活性化するステップと
を含むカード動作方法。
【請求項８】
表示部を介してカード所持者の識別の可否、決済処理段階、決済承認の可否、及びＯＴＰのうち少なくとも一つを視覚的に表示するステップを、更に含む請求項７に記載のカード動作方法。
【請求項９】
前記指紋認識領域又は前記セキュリティー領域のそれぞれが、活性化された以降、既設定された時間が経過した場合、前記指紋認識領域又は前記セキュリティー領域を非活性化するステップを、更に含む請求項７に記載のカード動作方法。
【請求項１０】
前記指紋を感知するステップは、指紋の正常取得の可否を判断するステップを含む請求項７に記載のカード動作方法。
【請求項１１】
前記セキュリティー領域の活性化を制御するステップは、
前記取得された指紋の種類を判断するステップと、
前記取得された指紋種類に応じて前記活性化されるアプレットを決定するステップと
を含む請求項１０に記載のカード動作方法。
【請求項１２】
セキュリティー領域の活性化を制御するステップは、
前記感知された指紋と既保存された認証情報とを照合し、既設定された回数以上一致しない指紋が感知された場合、前記カードの動作を停止する請求項７に記載のカード動作方法。
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
複数の撮影装置と、当該撮影装置で撮影された画像データを管理する画像管理サーバを含む情報処理システムであって、
前記撮影装置は、
被写体を撮影することで得られた画像データと自身の移動に関する位置情報とを含む撮影情報を前記画像管理サーバへ送信する送信手段、
を備え、
前記画像管理サーバは、
前記送信手段により送信された撮影情報を記憶部へ記憶する記憶手段と、
地図データに対する移動操作に係る位置情報に基づき移動した前記撮影装置で撮影された画像データの要求にかかる要求情報を受付ける受付手段と、
前記受付手段による要求情報及び前記記憶手段により記憶部に記憶された位置情報に基づいて、前記記憶部から得られた前記撮影情報の画像データの表示を制御する表示制御手段と、
を備えたことを特徴とする情報処理システム。
【請求項２】
前記地図データに対する移動操作は、前記地図データに対する操作の方向であることを特徴とする請求項１に記載の情報処理システム。
【請求項３】
前記地図データに対する移動操作は、前記地図データに対する操作の軌跡であることを特徴とする請求項１または２に記載の情報処理システム。
【請求項４】
前記受付手段は、前記地図データに対する操作の軌跡に対応する向きに基づき移動した前記撮影装置で撮影された画像データの要求にかかる要求情報を受付けることを特徴とする請求項１乃至３の何れか１項に記載の情報処理システム。
【請求項５】
前記受付手段は、前記地図データに対する操作の軌跡に対応する位置情報に基づき移動した前記撮影装置で撮影された画像データの要求にかかる要求情報を受付けることを特徴とする請求項１乃至４の何れか１項に記載の情報処理システム。
【請求項６】
前記受付手段は、前記地図データに対する操作の軌跡に対応する向き、あるいは、当該操作の軌跡に対応する向きとは逆の向きに基づき移動した前記撮影装置で撮影された画像データの要求にかかる要求情報を受付けることを特徴とする請求項１乃至５の何れか１項に記載の情報処理システム。
【請求項７】
前記受付手段は、前記地図データに対する操作により指定された範囲に基づき移動した前記撮影装置で撮影された画像データの要求にかかる要求情報を受付けることを特徴とする請求項１乃至６の何れか１項に記載の情報処理システム。
【請求項８】
前記撮影情報は、前記移動に関する位置における時刻情報を含み、
前記受付手段は、前記地図データに対する移動操作に係る位置情報に基づき移動した前記撮影装置であって、指定された時刻間に移動する前記撮影装置で撮影された画像データの要求にかかる要求情報を受付けることを特徴とする請求項１乃至７の何れか１項に記載の情報処理システム。
【請求項９】
前記撮影装置は、被写体を撮影する撮影部を備えた情報処理装置であることを特徴とする請求項１乃至８の何れか１項に記載の情報処理システム。
【請求項１０】
撮影装置で撮影された画像データを参照する情報処理装置であって、
前記画像データと前記撮影装置の移動に関する位置情報とを含む撮影情報を記憶部へ記憶する記憶手段と、
地図データに対する移動操作に係る位置情報に基づき移動した前記撮影装置で撮影された画像データの要求を示す要求情報を受付ける受付手段と、
前記受付手段により受付けた要求情報及び前記記憶手段によって記憶部に記憶された位置情報に基づいて、前記記憶部から前記撮影情報の画像データを取得する取得手段と、
を備えたことを特徴とする情報処理装置。
【請求項１１】
複数の撮影装置と、当該撮影装置で撮影された画像データを管理する画像管理サーバとを含む情報処理システムの制御方法であって、
前記撮影装置は、
被写体を撮影することで得られた画像データと自身の移動に関する位置情報とを含む撮影情報を前記画像管理サーバへ送信する送信ステップ、
を実行し、
前記画像管理サーバは、
前記送信ステップにより送信された撮影情報を記憶部へ記憶する記憶ステップと、
地図データに対する移動操作に係る位置情報に基づき移動した前記撮影装置で撮影された画像データの要求にかかる要求情報を受付ける受付ステップと、
前記受付ステップによる要求情報及び前記記憶ステップにより記憶部に記憶された位置情報に基づいて、前記記憶部から得られた前記撮影情報の画像データの表示を制御する表示制御ステップと、
を実行することを特徴とする情報処理システムの制御方法。
【手続補正２】
【補正対象書類名】明細書
【補正対象項目名】０００８
【補正方法】変更
【補正の内容】
【０００８】
そこで、本発明においては、ユーザが所望する画像データを容易に得ることが可能な仕組みを提供する。
【手続補正３】
【補正対象書類名】明細書
【補正対象項目名】０００９
【補正方法】変更
【補正の内容】
【０００９】
上記目的を達成するための第１の発明は、複数の撮影装置と、当該撮影装置で撮影された画像データを管理する画像管理サーバを含む情報処理システムであって、前記撮影装置は、被写体を撮影することで得られた画像データと自身の移動に関する位置情報とを含む撮影情報を前記画像管理サーバへ送信する送信手段、を備え、前記画像管理サーバは、前記送信手段により送信された撮影情報を記憶部へ記憶する記憶手段と、地図データに対する移動操作に係る位置情報に基づき移動した前記撮影装置で撮影された画像データの要求にかかる要求情報を受付ける受付手段と、前記受付手段による要求情報及び前記記憶手段により記憶部に記憶された位置情報に基づいて、前記記憶部から得られた前記撮影情報の画像データの表示を制御する表示制御手段と、を備えたことを特徴とする。
【手続補正４】
【補正対象書類名】明細書
【補正対象項目名】００１０
【補正方法】変更
【補正の内容】
【００１０】
上記目的を達成するための第２の発明は、複数の撮影装置と、当該撮影装置で撮影された画像データを管理する画像管理サーバとを含む情報処理システムの制御方法であって、前記撮影装置は、被写体を撮影することで得られた画像データと自身の移動に関する位置情報とを含む撮影情報を前記画像管理サーバへ送信する送信ステップ、を実行し、前記画像管理サーバは、前記送信ステップにより送信された撮影情報を記憶部へ記憶する記憶ステップと、地図データに対する移動操作に係る位置情報に基づき移動した前記撮影装置で撮影された画像データの要求にかかる要求情報を受付ける受付ステップと、前記受付ステップによる要求情報及び前記記憶ステップにより記憶部に記憶された位置情報に基づいて、前記記憶部から得られた前記撮影情報の画像データの表示を制御する表示制御ステップと、を実行することを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
本発明によれば、ユーザが所望する画像データを容易に得ることができる、という効果
を奏する。
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
非ニュートン流体中に、生体成分検出用試薬が含まれている、皮膚外用組成物。
【請求項２】
前記非ニュートン流体が粘弾性流体である、請求項１に記載の皮膚外用組成物。
【請求項３】
前記生体成分検出用試薬が、蛍光物質を含む、請求項１又は２に記載の皮膚外用組成物。
【請求項４】
前記生体成分検出用試薬が、タンパク質に前記蛍光物質が固定されている、請求項３に記載の皮膚外用組成物。
【請求項５】
クリーム剤形である、請求項１〜４のいずれか１項に記載の皮膚外用組成物。
【請求項６】
皮膚塗布用組成物である、請求項１〜５のいずれか１項に記載の皮膚外用組成物。
【請求項７】
温度センシング剤である、請求項１〜６のいずれか１項に記載の皮膚外用組成物。
【請求項８】
被検体の温度を測定する方法であって、
（１）請求項３〜７のいずれか１項に記載の皮膚外用組成物を被検体の皮膚に塗布する工程、
（２）前記皮膚外用組成物中の生体成分検出用試薬から発せられた垂直及び平行方向の蛍光強度を計測して偏光度を算出する工程
を備える、方法。
【請求項９】
前記工程（２）が、スマートフォンのカメラに偏光フィルタを装着して、前記皮膚外用組成物中の生体成分検出用試薬から生じる蛍光偏光を測定する工程
を備える、請求項８に記載の方法。
【請求項１０】
前記生体成分検出用試薬が、タンパク質に複数の前記蛍光物質が固定されている、請求項８又は９に記載の方法。
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
下記化学式１で表される含窒素環化合物。
【化１】
2019081749.tif 000001
（化学式１）
前記化学式１において、
Ｘ１、Ｘ２、及びＸ３のうち少なくとも２つはＮで、残りはＣＲ１５であり、
Ｙ及びＺはそれぞれ独立して水素原子、重水素原子、ＯＲ１６、ＳＲ１７、ＣＲ１８Ｒ１９Ｒ２０、もしくはＳｉＲ２１Ｒ２２Ｒ２３であるか、または互いに結合して環を形成し、
Ｒ１からＲ１４はそれぞれ独立して水素原子、重水素原子、ＯＲ２４、ＳＲ２５、（Ｃ＝Ｏ）Ｒ２６、ＮＲ２７Ｒ２８、ＣＲ２９Ｒ３０Ｒ３１、ＳｉＲ３２Ｒ３３Ｒ３４、置換もしくは無置換の炭素数１以上２０以下のアルキル基、置換もしくは無置換の環形成炭素数６以上３０以下のアリール基、もしくは置換もしくは無置換の環形成炭素数２以上３０以下のヘテロアリール基であるか、または隣接する基と互いに結合して環を形成し、
Ｒ１５からＲ３４はそれぞれ独立して水素原子、重水素原子、ハロゲン原子、シアノ基、置換もしくは無置換のシリル基、置換もしくは無置換の炭素数１以上２０以下のアルキル基、置換もしくは無置換の環形成炭素数６以上３０以下のアリール基、または置換もしくは無置換の環形成炭素数２以上３０以下のヘテロアリール基であるか、または隣接する基と互いに結合して環を形成し、
ｎ及びｍはそれぞれ独立して１または２であり、
ｑまたはｒはそれぞれ独立して０以上４以下の整数である。
【請求項２】
前記Ｘ１はＮで、Ｘ２及びＸ３のうち少なくとも一つはＮである請求項１に記載の含窒素環化合物。
【請求項３】
前記ｎ及びｍは１である請求項１に記載の含窒素環化合物。
【請求項４】
前記ｍは１で、前記ｎは１または２である請求項１に記載の含窒素環化合物。
【請求項５】
前記Ｒ１２は置換もしくは無置換のフェニル基、または置換もしくは無置換のジベンゾフラニル基である請求項１に記載の含窒素環化合物。
【請求項６】
前記化学式１で表される含窒素化合物は、最低励起一重項エネルギー準位Ｓ１と最低励起三重項エネルギー準位Ｔ１の差が０．２ｅＶ以下である請求項１に記載の含窒素環化合物。
【請求項７】
前記化学式１で表される含窒素化合物は、下記第１化合物群に示した化合物のうちいずれか一つである請求項１に記載の含窒素環化合物。
【化２】
2019081749.tif 000002
【化３】
2019081749.tif 000003
【化４】
2019081749.tif 000004
【化５】
2019081749.tif 000005
【化６】
2019081749.tif 000006
【化７】
2019081749.tif 000007
【化８】
2019081749.tif 000008
【化９】
2019081749.tif 000009
【化１０】
2019081749.tif 000010
【化１１】
2019081749.tif 000011
（第１化合物群）
【請求項８】
第１電極と、
前記第１電極の上に配置された正孔輸送領域と、
前記正孔輸送領域の上に配置され、請求項１乃至請求項７のいずれか一項に記載の含窒素化合物を含む発光層と、
前記発光層の上に配置された電子輸送領域と、
前記電子輸送領域の上に配置された第２電極と、を含み、
前記第１電極と前記第２電極は、それぞれ独立して、Ａｇ、Ｍｇ、Ｃｕ、Ａｌ、Ｐｔ、Ｐｄ、Ａｕ、Ｎｉ、Ｎｄ、Ｉｒ、Ｃｒ、Ｌｉ、Ｃａ、ＬｉＦ／Ｃａ、ＬｉＦ／Ａｌ、Ｍｏ、Ｔｉ、Ｉｎ、Ｓｎ、及びＺｎからなる群から選択されるいずれか一つ、これらの中から選択される複数を含む化合物、これらの中から選択される複数を含む混合物、またはこれらの中から選択される１つ以上の酸化物を含む有機ＥＬ素子。
【請求項９】
前記発光層は、青色光を放出する熱活性化遅延蛍光発光層である請求項８に際の有機ＥＬ素子。
【請求項１０】
前記発光層はホスト及びドーパントを含み、
前記ドーパントは前記含窒素化合物である請求項８に記載の有機ＥＬ素子。
【手続補正２】
【補正対象書類名】明細書
【補正対象項目名】００２３
【補正方法】変更
【補正の内容】
【００２３】
他の実施形態としては、第１電極と、前記第１電極の上に配置された正孔輸送領域と、前記正孔輸送領域の上に配置され、上述した一実施形態の含窒素化合物を含む発光層と、前記発光層の上に配置された電子輸送領域と、前記電子輸送領域の上に配置された第２電極と、を含む有機ＥＬ素子を提供する。また、本発明の一実施形態に係る有機ＥＬ素子において、前記第１電極と前記第２電極は、それぞれ独立して、Ａｇ、Ｍｇ、Ｃｕ、Ａｌ、Ｐｔ、Ｐｄ、Ａｕ、Ｎｉ、Ｎｄ、Ｉｒ、Ｃｒ、Ｌｉ、Ｃａ、ＬｉＦ／Ｃａ、ＬｉＦ／Ａｌ、Ｍｏ、Ｔｉ、Ｉｎ、Ｓｎ、及びＺｎからなる群から選択されるいずれか一つ、これらの中から選択される複数を含む化合物、これらの中から選択される複数を含む混合物、またはこれらの中から選択される１つ以上の酸化物を含むことができる。
【手続補正書】
【提出日】令和2年9月1日(2020.9.1)
【手続補正１】
【補正対象書類名】明細書
【補正対象項目名】００７６
【補正方法】変更
【補正の内容】
【００７６】
実施例６
洗浄に使用した２，６−ＮＤＡの結晶の量を１００ｇに変更した以外は実施例５と同様にして２，６−ＮＤＡの結晶９９．１ｇを得た（収率９９．１％）。２，６−ＮＤＡの結晶に含まれるアルカリ金属（Ｎａ，Ｋ）を誘導結合プラズマ（ＩＣＰ）発光光分析、比表面積をガス吸着法により測定した。結果を表１に示す。
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
車両（１）の運転状態を、運転者の運転操作に従って運転される手動運転状態と、前記運転者の運転操作に依らずに、前記車両の周囲の状況を検出した結果に基づいて運転される自動運転状態とに切り換えると共に、前記手動運転状態および前記自動運転状態での前記車両の運転を制御する運転制御装置（１００）であって、
前記車両の周囲の状況を検出する周囲状況検出部（１０１）と、
前記周囲の状況の検出結果に基づいて、前記自動運転状態での運転操作の内容と、該運転操作の内容に対する自信度とを決定する運転操作決定部（１０４）と、
前記自動運転状態で前記運転者による運転操作を検出した場合には、前記運転状態を前記自動運転状態から前記手動運転状態に切り換える運転状態切換部（１０２）と、
前記自動運転状態で前記運転者による運転操作が行われた時の前記自信度に応じて、前記運転操作決定部に前記運転者による運転操作の内容を学習させることによって、前記運転者による前記運転操作の内容を、前記自動運転状態での前記運転操作の内容に反映させる運転操作反映部（１０７）と
を備えることを特徴とする運転制御装置。
【請求項２】
請求項１に記載の運転制御装置であって、
前記運転操作反映部は、前記自信度が所定の学習閾値よりも大きい場合には、前記運転者によって行われた運転操作の内容を前記運転操作決定部に学習させないが、前記自信度が前記学習閾値よりも小さい場合に、前記運転操作の内容を前記運転操作決定部に学習させることによって、前記自動運転状態での前記運転操作の内容に反映させる
ことを特徴とする運転制御装置。
【請求項３】
請求項２に記載の運転制御装置であって、
前記運転操作反映部は、前記自信度が前記学習閾値よりも小さく、且つ、該学習閾値よりも小さな値に設定された所定の交替推奨閾値よりも大きい場合には、前記運転者によって行われた運転操作の内容を前記運転操作決定部に学習させる
ことを特徴とする運転制御装置。
【請求項４】
請求項３に記載の運転制御装置であって、
前記運転操作反映部は、前記自信度が前記交替推奨閾値よりも小さい場合でも、該交替要請閾値を下まわってから所定時間が経過した後は、前記運転者によって行われた運転操作の内容を前記運転操作決定部に学習させる
ことを特徴とする運転制御装置。
【請求項５】
車両（１）の運転状態を、運転者の運転操作に従って運転される手動運転状態と、前記運転者の運転操作に依らずに、前記車両の周囲の状況を検出した結果に基づいて運転される自動運転状態とに切り換えると共に、前記手動運転状態および前記自動運転状態での前記車両の運転を制御する運転制御方法であって、
前記車両の周囲の状況を検出する工程（Ｓ１０１）と、
前記周囲の状況の検出結果に基づいて、前記自動運転状態での運転操作の内容と、該運転操作の内容に対する自信度とを決定する工程（Ｓ１０２、Ｓ１０３）と、
前記自動運転状態で前記運転者による運転操作を検出した場合には、前記運転状態を前記自動運転状態から前記手動運転状態に切り換える工程（Ｓ１１２）と、
前記自動運転状態で前記運転者による運転操作が行われた時の前記自信度に応じて該運転操作の内容を学習することによって、前記運転者による前記運転操作の内容を、前記自動運転状態での前記運転操作の内容に反映させる工程（Ｓ１１１）と
を備えることを特徴とする運転制御方法。
【手続補正２】
【補正対象書類名】明細書
【補正対象項目名】０００７
【補正方法】変更
【補正の内容】
【０００７】
上述した課題を解決するために本発明の運転制御装置および運転制御方法は、車両の運転状態を手動運転状態と自動運転状態とに切換可能となっており、自動運転状態では車両の周囲の状況に基づいて運転操作の内容を決定すると共に、周囲の状況に基づいて決定した運転操作の内容に対する自信度も決定する。そして、自動運転状態の時に運転者による運転操作を検出した場合には、運転状態を手動運転状態に切り換えると共に、運転者による運転操作が行われた時の自信度（すなわち、自動運転状態で周囲の状況に基づいて決定した運転操作の内容に対する自信度）に応じて、運転者による運転操作の内容を学習する。こうすることによって、運転者による運転操作の内容を、自動運転状態での運転操作の内容に反映させる。
自動運転状態で決定した自信度が大きな運転操作の最中に運転者が運転操作を行った場合は、何らかの突発的な事情が発生する等して運転操作が行われた可能性が高いので、その後の自動運転状態で同じような状況が発生しても、運転操作に反映させない方が良い。これに対して、自動運転状態で決定した自信度が小さな運転操作の最中に運転者が運転操作を行った場合は、自動運転状態で決定した運転操作の内容に運転者が違和感を覚えて運転操作した可能性が高いので、その後の自動運転状態で同じような状況が発生した場合には、運転操作に反映させた方が良い。従って、運転者による運転操作が行われた時の自信度（すなわち、自動運転状態で決定した運転操作の内容に対する自信度）に応じて、運転者による運転操作の内容を学習して、それ以降の自動運転状態での運転操作の内容に反映させれば、自動運転状態での運転操作の内容を、運転者に違和感を与えない内容に近付けていくことが可能となる。
【手続補正書】
【提出日】令和2年11月5日(2020.11.5)
【手続補正１】
【補正対象書類名】特許請求の範囲
【補正対象項目名】全文
【補正方法】変更
【補正の内容】
【特許請求の範囲】
【請求項１】
カドミウムを含まず、蛍光半値幅が、２５ｎｍ以下であり、蛍光波長が、４４０ｎｍ以上４７０ｎｍ以下であることを特徴とする量子ドット。
【請求項２】
Ｃｕを含み、その残存量が１００ｐｐｍ以下であることを特徴とする請求項１に記載の量子ドット。
【請求項３】
前記量子ドットは、亜鉛とセレン、或いは、亜鉛とセレンと硫黄とを含有するナノクリスタルであることを特徴とする請求項１又は請求項２に記載の量子ドット。
【請求項４】
前記量子ドットは、前記ナノクリスタルをコアとし、前記コアの表面にシェルが被覆されたコアシェル構造を有することを特徴とする請求項３に記載の量子ドット。
【請求項５】
前記コアが、ＺｎＳｅＳで形成されていることを特徴とする請求項４に記載の量子ドット。
【請求項６】
前記量子ドットの表面が配位子で覆われていることを特徴とする請求項１から請求項５のいずれかに記載の量子ドット。
【請求項７】
前記配位子は、脂肪族アミン系、ホスフィン系、及び、脂肪族カルボン酸系の少なくともいずれか１種から選択されることを特徴とする請求項６に記載の量子ドット。
【請求項８】
請求項１から請求項７のいずれかに記載の量子ドットを含むことを特徴とする波長変換部材。
【請求項９】
請求項１から請求項７のいずれかに記載の量子ドットを含むことを特徴とする照明部材。
【請求項１０】
請求項１から請求項７のいずれかに記載の量子ドットを含むことを特徴とするバックライト装置。
【請求項１１】
請求項１から請求項７のいずれかに記載の量子ドットを含むことを特徴とする表示装置。
【手続補正２】
【補正対象書類名】明細書
【補正対象項目名】００１７
【補正方法】変更
【補正の内容】
【００１７】
本発明における量子ドットは、カドミウム（Ｃｄ）を含まず、蛍光半値幅が、２５ｎｍ以下であり、蛍光波長が、４４０ｎｍ以上４７０ｎｍ以下であることを特徴とする。
本発明では、Ｃｕの残存量が１００ｐｐｍ以下であることが好ましい。
【手続補正３】
【補正対象書類名】明細書
【補正対象項目名】００２０
【補正方法】変更
【補正の内容】
【００２０】
本発明では、前記コアが、ＺｎＳｅＳで形成されていることが好ましい。
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
媒体を排出する排出部と、
前記排出部の鉛直方向下方に配置され、前記排出部により排出される前記媒体が載置される載置面を有する排紙トレイと、
前記排出部と前記載置面との間の空間において、媒体排出方向における上流側の退避位置と下流側の進出位置との間で進退可能に構成されたシート部材と、を備え、
前記シート部材の上面の摩擦係数は、前記載置面の摩擦係数以下に設定され、
前記進出位置にある前記シート部材の媒体排出方向における下流端の位置は、前記シート部材が無い場合に排出される前記媒体の媒体排出方向における下流端が前記載置面上に先行して載置された前記媒体の上面に最初に接触する位置よりも、媒体排出方向において下流側に配置される、
媒体排出装置。
【請求項２】
排出される前記媒体の前記下流端と前記進出位置にある前記シート部材の上面とのなす角度は、前記シート部材が無い場合に排出される前記媒体の前記下流端と前記載置面上に先行して載置された前記媒体の上面とのなす角度よりも小さい、請求項１に記載の媒体排出装置。
【請求項３】
前記シート部材は、前記排出部により排出される前記媒体の前記下流端が排出されるときに前記進出位置へと進出する、請求項１又は２に記載の媒体排出装置。
【請求項４】
排出される前記媒体を検出する媒体検出器を前記排出部付近に備え、
前記シート部材は、排出される前記媒体の前記下流端が前記媒体検出器で検出された後に前記進出位置へと進出する、請求項３に記載の媒体排出装置。
【請求項５】
前記シート部材は、排出される前記媒体の前記下流端が前記媒体検出器で検出された後であって、排出される前記媒体の前記下流端が前記シート部材の上面に接触する前に、前記進出位置へと進出する、請求項４に記載の媒体排出装置。
【請求項６】
前記退避位置にある前記シート部材の前記下流端の位置は、排出されて前記排紙トレイに落下する前記媒体の媒体排出方向における上流端の位置よりも、媒体排出方向において上流側に配置される、請求項１から５の何れか一項に記載の媒体排出装置。
【請求項７】
前記シート部材は、前記排出部により排出される前記媒体の前記上流端が排出されるときに前記退避位置へと退避する、請求項６に記載の媒体排出装置。
【請求項８】
排出される前記媒体を検出する媒体検出器を前記排出部付近に備え、
前記シート部材は、排出される前記媒体の前記上流端が前記媒体検出器で検出された後に前記退避位置へと退避する、請求項７に記載の媒体排出装置。
【請求項９】
前記シート部材は、排出される前記媒体の前記上流端が前記媒体検出器で検出された後であって、排出される前記媒体が前記載置面に落下する前に、前記退避位置へと退避する、請求項８に記載の媒体排出装置。
【請求項１０】
前記シート部材は、排出される前記媒体の前記下流端が前記シート部材上において媒体排出方向における下流側への移動を開始した後であって、排出される前記媒体が前記載置面に落下する前に、前記退避位置へと退避する、請求項６又は７に記載の媒体排出装置。
【請求項１１】
排出される前記媒体は、複数の媒体が束ねられた媒体束であり、
前記排出部は、前記媒体束を排出する、請求項１から１０の何れか一項に記載の媒体排出装置。
【請求項１２】
前記シート部材は、前記媒体の幅方向に複数配置され、
前記媒体の幅方向中央寄りに配置される前記シート部材の進退位置は、前記媒体の幅方向端部寄りに配置される前記シート部材の進退位置よりも鉛直方向上方に配置される、請求項１から１１の何れか一項に記載の媒体排出装置。
【請求項１３】
前記媒体の幅方向中央寄りに配置される前記シート部材の幅は、前記媒体の端部寄りに配置される前記シート部材の幅よりも広い、請求項１２に記載の媒体排出装置。
【請求項１４】
前記媒体の幅方向中央寄りに配置される前記シート部材の厚さは、前記媒体の端部寄りに配置される前記シート部材の厚さよりも厚い、請求項１２又は１３に記載の媒体排出装置。
【請求項１５】
前記載置面に載置された前記媒体の上面位置を検出する媒体面検出器を備え、
前記媒体面検出器で検出した前記上面位置に基づいて前記排紙トレイが昇降することにより、前記進出位置にある前記シート部材の前記下流端が、前記載置面に載置された前記媒体の上面よりも上方に位置する、請求項１から１４の何れか一項に記載の媒体排出装置。
【請求項１６】
前記媒体排出装置は、前記媒体に液体を吐出する処理装置から前記媒体を排出する装置であり、
前記媒体に吐出された前記液体の量が所定量以上である場合に前記シート部材を前記進出位置に進出させる、請求項１から１５の何れか一項に記載の媒体排出装置。
【請求項１７】
媒体を排出する排出部と、
前記排出部の鉛直方向下方に配置され、前記排出部によって排出される前記媒体が載置される載置面を有する排紙トレイと、
前記排出部と前記載置面との間の空間において、媒体排出方向における上流側の退避位置と下流側の進出位置との間で進退可能に構成されたシート部材と、を備え、
前記シート部材の上面の摩擦係数は、前記載置面の摩擦係数以下に設定され、
排出される前記媒体の媒体排出方向における下流端と前記進出位置にある前記シート部材の上面とのなす角度は、前記シート部材が無い場合に排出される前記媒体の前記下流端と前記載置面上に先行して載置された前記媒体の上面とのなす角度よりも小さい、
媒体排出装置。
【請求項１８】
請求項１から請求項１５の何れか一項に記載の媒体排出装置と、
インクを吐出する記録部によって記録された媒体に後処理を行う後処理部と、
を備える、後処理装置。
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
開閉可能な前扉を備えた遊技機であって、
前記前扉は、
遊技球を貯留可能な上皿と、
前記上皿の下方に位置し、前記上皿から排出された遊技球が流入可能な下皿と、
遊技者が操作可能な演出操作部と、
所定条件の成立に基づいて演出用の振動を発生させる振動部と、を有し、
前記下皿には、遊技球が貯留される貯留領域と前記演出操作部が収容される収容領域とを遮断するように位置する遮断壁部が設けられており、
前記振動部は、前記遮断壁部の側方に設けられる
ことを特徴とする遊技機。
【手続補正２】
【補正対象書類名】明細書
【補正対象項目名】０００２
【補正方法】変更
【補正の内容】
【０００２】
従来より、正面視における遊技領域の下方に、遊技領域内に打込むための遊技媒体が貯留される上皿と、上皿の下側に配置され遊技媒体が貯留される下皿とを備えた遊技機が知られている（例えば、特許文献１）。
【手続補正３】
【補正対象書類名】明細書
【補正対象項目名】０００４
【補正方法】変更
【補正の内容】
【０００４】
しかしながら、このような遊技機においては、下皿を搭載するうえでより好適なものが求められている。
【手続補正４】
【補正対象書類名】明細書
【補正対象項目名】０００５
【補正方法】変更
【補正の内容】
【０００５】
本発明は、下皿に関してより好適な構成を提案するものである。
【手続補正５】
【補正対象書類名】明細書
【補正対象項目名】０００７
【補正方法】変更
【補正の内容】
【０００７】
本発明は、
開閉可能な前扉を備えた遊技機であって、
前記前扉は、
遊技球を貯留可能な上皿（上皿２０１）と、
前記上皿の下方に位置し、前記上皿から排出された遊技球が流入可能な下皿（下皿２０２）と、
遊技者が操作可能な演出操作部（演出操作ユニット３００）と、
所定条件の成立に基づいて演出用の振動を発生させる振動部（振動スピーカ３５４）と、を有し、
前記下皿には、遊技球が貯留される貯留領域（下皿開口部２５２ｄ）と前記演出操作部が収容される収容領域（演出操作ユニット取付部２５２ｉ）とを遮断するように位置する遮断壁部（図４１等の下皿開口部２５２ｄを形成する天井壁および側壁）が設けられており、
前記振動部は、前記遮断壁部の側方に設けられる（図４１、図５３、図５４、段落０２８０、０２９３、０３２５、０３２６等参照）
ことを特徴とする。本構成によれば、下皿を操作している遊技者に対して振動部の振動を好適に伝達可能になり、従来に比して興趣向上を図ることができる。
【手続補正６】
【補正対象書類名】明細書
【補正対象項目名】００１６
【補正方法】変更
【補正の内容】
【００１６】
本発明によれば、振動部との配置関係が新規な好適な下皿を備えた遊技機を提供することができる。
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
所定の契機で抽選を行う抽選手段と、
前記抽選手段による抽選結果が特別結果である場合、遊技者に利益を付与する利益付与手段と、
前記抽選結果に基づく表示演出を表示可能な第１表示手段と、
前記第１表示手段の周縁近傍に設けられ、前記第１表示手段の前面側を移動可能な第２表示手段と、
前記第１表示手段および第２表示手段を用いて前記抽選結果に基づく演出を実行する演出制御手段と、を備え、
前記演出制御手段は、
前記第１表示手段にて前記抽選結果に基づく表示演出が実行されている場合に、前記第２表示手段が待機しているときの前記変動領域に対して正面視でみたときに重なる特定位置に前記第２表示手段を移動させ、該特定位置にある前記第２表示手段と前記第１表示手段とで前記抽選結果に基づく第１演出を実行可能であり、該第１演出においては前記第２表示手段が所定態様とされ、
前記第１演出を行った後、前記第２表示手段を前記第１表示手段の周縁近傍へと移動させ、その後、前記第２表示手段を前記特定位置へと向かうように移動させる第２演出を実行可能であり、該第２演出においては前記第２表示手段が前記所定態様と異なる特定態様とされ、該第２演出によって前記特別結果であることを遊技者に報知可能である
ことを特徴とする遊技機。
【手続補正２】
【補正対象書類名】明細書
【補正対象項目名】０００６
【補正方法】変更
【補正の内容】
【０００６】
上記課題を解決するために本発明の遊技機は、請求項１において、所定の契機で抽選を行う抽選手段と、
前記抽選手段による抽選結果が特別結果である場合、遊技者に利益を付与する利益付与手段と、
前記抽選結果に基づく表示演出を表示可能な第１表示手段と、
前記第１表示手段の周縁近傍に設けられ、前記第１表示手段の前面側を移動可能な第２表示手段と、
前記第１表示手段および第２表示手段を用いて前記抽選結果に基づく演出を実行する演出制御手段と、を備え、
前記演出制御手段は、
前記第１表示手段にて前記抽選結果に基づく表示演出が実行されている場合に、前記第２表示手段が待機しているときの前記変動領域に対して正面視でみたときに重なる特定位置に前記第２表示手段を移動させ、該特定位置にある前記第２表示手段と前記第１表示手段とで前記抽選結果に基づく第１演出を実行可能であり、該第１演出においては前記第２表示手段が所定態様とされ、
前記第１演出を行った後、前記第２表示手段を前記第１表示手段の周縁近傍へと移動させ、その後、前記第２表示手段を前記特定位置へと向かうように移動させる第２演出を実行可能であり、該第２演出においては前記第２表示手段が前記所定態様と異なる特定態様とされ、該第２演出によって前記特別結果であることを遊技者に報知可能である
ことを特徴とする。
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
シートクッションと、シートバックフレーム、前記シートバックフレームに支持されたパッド、及び前記パッドの表面に設けられた表皮材を含むシートバックとを有する乗物用シートであって、
前記シートバックフレームは、前記シートバックフレームの外縁の一部を構成する延長フレームと、前記延長フレームの後部に少なくとも一部が配置されたパンフレームとを有し、
前記延長フレームと前記パンフレームの縁とは、協働して前後に貫通する開口を形成する乗物用シート。
【請求項２】
前記シートバックフレームは、長方形枠形に屈曲させられたパイプ材を有し、
前記延長フレームは、前記パイプ材に結合され、
前記パンフレームは、前記パイプ材に結合され、前記パイプ材の後部に配置されている請求項１に記載の乗物用シート。
【請求項３】
前記パイプ材は、上下に延びる左右のサイドフレームと、左右に延び前記サイドフレームのそれぞれの上端に結合したアッパフレームと、左右に延び前記サイドフレームのそれぞれの下部に結合したロアフレームとを形成する請求項２に記載の乗物用シート。
【請求項４】
前記延長フレームは、左右に延びる上辺部と、前記上辺部の左右端から下方に延びて前記パイプ材に結合した左右の端部とを有する請求項２又は請求項３に記載の乗物用シート。
【請求項５】
左右の前記端部は、前記上辺部から下方に延びる縦部と、前記縦部の下端から左右方向における内方に延びる横部とを有し、
前記上辺部の左右方向における外端部と、前記縦部と、前記横部と、前記パンフレームの上下に延びる側縁とによって前記開口が形成されている請求項４に記載の乗物用シート。
【請求項６】
前記パイプ材には左右一対のピラー支持ブラケットが溶接され、
前記延長フレームの左右の端部は、左右の前記ピラー支持ブラケットに対して左右方向における外方に配置されている請求項４又は請求項５に記載の乗物用シート。
【請求項７】
前記延長フレームの左右の端部は、前記シートバックフレームの左右の外縁に対して左右方向における内方に配置されている請求項６に記載の乗物用シート。
【請求項８】
前記延長フレームは、丸パイプ材を屈曲変形させることによって形成されている請求項１〜請求項７のいずれか１つの項に記載の乗物用シート。
【請求項９】
前記開口は、上下方向に延びている請求項１〜請求項８のいずれか１つの項に記載の乗物用シート。
【請求項１０】
前記開口は、略四角形に形成されている請求項９に記載の乗物用シート。
【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
可動部を有するロボットと、
前記可動部に設けられた吐出部と、
前記可動部に設けられた検出部と、
前記可動部を予め決められたＸＹ平面上の軌跡に沿って動かすように制御する制御部を有する制御装置と、
を備え、
前記吐出部は、対象物に吐出物を吐出可能な吐出口を含み、
前記検出部は、前記対象物の第１位置に光を出射する出射部と、前記第１位置で反射した前記光を受光する受光部と、を有しており、前記第１位置と前記吐出部との相対的な距離に応じた検出値を検出し、
前記第１位置は、前記吐出部から前記対象物へ向かって前記吐出物が吐出される吐出方向から見て、前記吐出部と重なる部分を有し、
前記吐出口は、前記吐出方向から見て、前記出射部と、前記受光部との間に位置し、
前記制御部は、前記吐出物が吐出されている間に前記可動部を前記軌跡に沿って動かすように制御する、
ロボットシステム。
【請求項２】
可動部を有するロボットと、前記可動部に設けられた吐出部と、前記可動部に設けられた検出部と、第１教示点と第２教示点との間を予め決められたＸＹ平面上の軌跡に沿って前記可動部を動かすように制御する制御部を有する制御装置と、を備え、対象物に吐出物を吐出するロボットシステムの制御方法であって、
前記吐出部は、前記対象物に前記吐出物を吐出可能な吐出口を含み、
前記検出部は、前記対象物の第１位置に光を出射する出射部と、前記第１位置で反射した前記光を受光する受光部と、を有しており、前記第１位置と前記吐出部との相対的な距離に応じた検出値を検出し、
前記制御方法は、
前記可動部に設定された所定の制御点を前記第１教示点へ移動する第１ステップと、
前記第１教示点において前記検出値を取得する第２ステップと、
前記検出値が所定値と一致するか否かを判断する第３ステップと、
前記第３ステップにおいて、前記検出値が所定値と一致すると判断した場合、前記吐出部から前記吐出物を吐出する間に前記制御点を前記第２教示点へ向かって前記軌跡に沿って移動させ、前記検出値が前記所定値と一致しないと判断した場合、前記制御点と前記第１位置との間の高さを前記所定値へ変更し、前記吐出物を吐出する間に前記制御点を前記第２教示点へ向かって前記軌跡に沿って移動させる第４ステップと、
を有する制御方法。
【請求項３】
対象物に吐出物を吐出可能な吐出口を含む吐出部と、前記対象物の第１位置に光を出射する出射部と、前記第１位置で反射した前記光を受光する受光部と、前記第１位置と前記吐出部との相対的な距離に応じた検出値を検出する検出部と、を用いて前記対象物に吐出を行うように、第１教示点と第２教示点との間を予め決められたＸＹ平面上の軌跡に沿って前記可動部を動かすように制御する制御部を備え、
前記制御部は、
前記可動部に設定された所定の制御点を前記第１教示点へ移動させ、
前記第１教示点において前記検出値を取得し、
前記検出値が所定値と一致するか否かを判断し、前記検出値が所定値と一致すると判断した場合、前記吐出部から前記吐出物を吐出する間に前記制御点を前記第２教示点へ向かって前記軌跡に沿って移動させ、前記検出値が前記所定値と一致しないと判断した場合、前記制御点と前記第１位置との間の高さを前記所定値へ変更し、前記吐出物を吐出する間に前記制御点を前記第２教示点へ向かって前記軌跡に沿って移動させる、
制御装置。
【手続補正２】
【補正対象書類名】明細書
【補正対象項目名】発明の名称
【補正方法】変更
【補正の内容】
【発明の名称】ロボットシステム、制御方法、及び制御装置
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
発泡性飲料における泡を測定する泡測定方法であって、
飲料容器に前記発泡性飲料の液体及び前記泡を注出する工程と、
前記飲料容器の上端における開口の一部を塞ぐ工程と、
前記泡を注出してから第１時間が経過した後に前記飲料容器を傾ける工程と、
前記飲料容器を傾けてから第２時間が経過した後に、傾けた前記飲料容器を戻す工程と、
戻した前記飲料容器の内部に生成された前記泡の量を測定する工程と、
を備える泡測定方法。
【請求項２】
前記第１時間は、１０秒以上且つ３００秒以下である、
請求項１に記載の泡測定方法。
【請求項３】
前記飲料容器を傾ける工程では、水平面に対する前記飲料容器の底部の角度が１０°以上且つ８０°以下となるように前記飲料容器を傾ける、
請求項１又は２に記載の泡測定方法。
【請求項４】
前記注出する工程では、前記発泡性飲料を注出するサーバーから前記液体及び前記泡を注出し、
前記注出する工程の前に、前記発泡性飲料が容器詰された密閉容器に孔を開けて前記密閉容器から前記サーバーに前記発泡性飲料を圧送する工程を備える、
請求項１〜３のいずれか一項に記載の泡測定方法。
【請求項５】
発泡性飲料における泡を測定する泡測定装置であって、
飲料容器に前記発泡性飲料の液体及び前記泡を注出するサーバーと、
前記液体及び前記泡が注出された前記飲料容器を傾ける傾斜装置と、
前記傾斜装置によって傾けられて戻されることにより前記飲料容器の内部に生成された泡を測定する泡測定部と、
を備える泡測定装置。
【請求項６】
前記飲料容器に装着されると共に前記液体及び前記泡が排出される穴開き部が形成された蓋を備える、
請求項５に記載の泡測定装置。
【請求項７】
前記発泡性飲料は、前記サーバーから注出される前に密閉容器に容器詰されている、
請求項５又は６に記載の泡測定装置。
【請求項８】
前記サーバーに連結されると共に前記密閉容器に孔を開ける孔開け機を備え、
前記密閉容器の内部の前記発泡性飲料は、前記孔開け機から前記サーバーに圧送されて前記飲料容器に注出される、
請求項７に記載の泡測定装置。